(57)【要約】【課題】安価かつ簡素な構成によって、スライド入力操作の操作情報を検出可能な電子機器用の入力装置及び入力方法を提供する。【解決手段】入力操作面および該入力操作面に対する入力操作を検知する静電容量方式のタッチセンサ７を備える操作部１と、操作部１からの入力操作の検知情報が入力され、検知情報に対応する出力情報を電子機器６に対して出力する制御回路部２とを備え、制御回路部２は、検知情報に基づいて、入力操作面内の複数の座標に対する入力操作の有無を特定するとともに、複数の座標に対する入力操作の有無を示す入力状態の遷移に基づいて、スライド入力操作の操作方向及び操作量を判別し、これらの操作方向及び操作量を含む操作情報を電子機器に対して出力する。【選択図】図１
2012185538.tif 000002
【特許請求の範囲】
【請求項１】
電子機器用の入力装置であって、入力操作面および該入力操作面に対する入力操作を検知する静電容量方式のタッチセンサを備える操作部と、前記操作部からの入力操作の検知情報が入力され、前記検知情報に対応する出力情報を前記電子機器に対して出力する制御回路部とを備え、
前記制御回路部は、前記検知情報に基づいて、前記入力操作面内の複数の座標に対する入力操作の有無を特定するとともに、前記複数の座標に対する入力操作の有無を示す入力状態の遷移に基づいて、スライド入力操作の操作方向及び操作量を判別し、前記操作方向及び前記操作量を含む操作情報を前記電子機器に対して出力することを特徴とする入力装置。
【請求項２】
前記制御回路部は、一次元状に配列された複数の座標からなる座標群の前記入力状態について、前記入力操作が検知された入力検知座標群の最も外側に位置する座標に関する所定の遷移の発生、または、隣接する２以上の座標に関する所定の遷移の完了に基づいて、前記入力検知座標群に対する前記スライド入力操作の前記操作方向を判別し、前記入力検知座標群の前記入力状態について、所定の遷移が完了した回数及び該所定の遷移の完了に要した時間のいずれか一方または両方に基づいて前記操作量を判別することを特徴とする請求項１に記載の入力装置。
【請求項３】
前記操作量を判別するための前記所定の遷移は、前記入力検知座標群中の個別の座標に関する前記入力状態の遷移により定義されるか、または、前記入力検知座標群中の全ての座標に関する前記入力状態の遷移を含むように定義されることを特徴とする請求項２に記載の入力装置。
【請求項４】
前記操作量は、所定時間内に前記所定の遷移が完了した回数に応じて増大することを特徴とする請求項２または３に記載の入力装置。
【請求項５】
前記操作量は、所定時間内に前記所定の遷移が完了した回数に応じて増大し、前記所定の遷移が完了しないまま前記所定時間が経過した回数に応じて減少することを特徴とする請求項２または３に記載の入力装置。
【請求項６】
前記制御回路部は、複数の座標に対する入力操作の有無を示す前記入力状態、前記スライド入力操作の前記操作方向及び前記操作量を判別するために予め定義された条件、及び判別された前記操作方向及び前記操作量を記憶する記憶部と、前記記憶部に記憶された条件に基づいて、前記スライド入力操作の前記操作方向及び前記操作量を判別し、前記操作方向及び前記操作量を前記記憶部に保存するとともに、前記操作方向及び前記操作量を含む前記操作情報を前記電子機器に対して出力するデータ処理部とを備えることを特徴とする請求項１から５に記載の入力装置。
【請求項７】
入力操作面および該入力操作面に対する入力操作を検知する静電容量方式のタッチセンサを備える操作部と、前記操作部からの入力操作の検知情報が入力され、前記検知情報に対応する操作情報を前記電子機器に対して出力する制御回路部とを備える電子機器用の入力装置のための入力方法であって、
前記検知情報に基づいて、前記入力操作面内の複数の座標に対する入力操作の有無を特定するステップと、複数の座標に対する入力操作の有無を示す入力状態の遷移に基づいて、スライド入力操作の操作方向及び操作量を判別するステップと、前記操作方向及び前記操作量を含む操作情報を前記電子機器に対して出力するステップと、を含むことを特徴とする入力方法。
【発明の詳細な説明】
【技術分野】
【０００１】
本発明は、電子機器用の入力装置及び入力方法に関し、特に、静電容量方式のタッチセンサを備えた入力装置及びそれを用いた入力方法において、スライド入力操作を検知する技術に関する。
【背景技術】
【０００２】
近年、電子機器用のポインティングデバイスとして、操作面に対する操作者の指等（以下、操作指という）の接触を検知することを動作原理とするタッチセンサ型のポインティングデバイスが普及しており、例えば、静電容量方式のマトリクスセンサアレイをタッチセンサとして用いたポインティングデバイスが広く用いられている（例えば、特許文献１参照）。
【０００３】
このようなタッチセンサ型のポインティングデバイスは、多くの場合、電子機器（例えば、パーソナルコンピュータ）の画面に表示されるオブジェクトを直感的に操作するために用いられる。例えば、操作者の入力操作に応じて画面上を移動するオブジェクト（例えば、カーソル）を移動させる場合、操作者は、通常、ポインティングデバイスの操作面上に操作指を触れたまま滑らせる入力操作（以下、スライド入力操作ともいう）を実行し、カーソル等のオブジェクトは、スライド入力操作の間に、操作面に対する操作指の接触位置の移動の軌跡に対応する軌跡を描いて、画面上を移動する。
【０００４】
したがって、一般に、カーソル等のオブジェクトをタッチセンサ型のポインティングデバイスを用いて操作者の意図通りに操作するためには、操作指の接触位置を高精度に特定する必要がある。特に、パーソナルコンピュータ等の電子機器では、ＣＡＤ（Computer Aided Design）等の精密なカーソル操作が必要とされるソフトウェアの実行も想定されるため、接触位置の高精度な特定が重要となる。そのため、一般に、タッチセンサ型のポインティングデバイスは、接触位置を高精度に特定するための演算処理機能を備えており、例えば、上述したような静電容量方式のマトリクスセンサアレイを用いたポインティングデバイスでは、通常、マトリクスセンサアレイ全面にわたる静電容量分布の分布中心を加重平均法等により求め、得られた分布中心を接触位置として特定するといった演算処理が実行される。
【先行技術文献】
【特許文献】
【０００５】
【特許文献１】特表平１１−５０６５５９号公報
【発明の概要】
【発明が解決しようとする課題】
【０００６】
ここで、電子機器において操作者の入力操作によって操作する対象には、カーソル等とは異なり、その制御のために高精度に特定された位置情報を要しないものも存在する。このような対象を有する電子機器は、例えば、その対象の状態変化を規定するパラメータを制御する機能が割り当てられたスイッチ群を備え、操作者がそのスイッチ群を使用して対象を操作するように構成することも可能である。しかしながら、このような電子機器の場合でも、操作対象の状態変化の態様が、ポインティングデバイスで実行される入力操作の態様と直感的に良く対応する場合には、使用者の操作実感の観点から、ポインティングデバイスを使用して操作可能であることが望ましい。
【０００７】
その典型的な例として、電子機器がスロットマシン等の遊技機器であって、固定位置で回転する可動要素（例えば、回転ドラム）、あるいは、その画面上の固定位置で回転するように表示されるオブジェクトを備えており、可動要素または画面上のオブジェクト（以下、オブジェクトと総称する）の状態変化が、回転方向及び回転速度で規定される場合が挙げられる。
【０００８】
この場合、例えば、ポインティングデバイスのスライド入力操作の操作方向をオブジェクトの回転方向に対応させ、スライド入力操作の操作量（操作速度、積算された操作距離等）をオブジェクトの回転速度に対応させれば、操作者の入力操作とオブジェクトの状態変化とが直感的に良く対応し、操作者に対してオブジェクトの操作実感をより強く感じさせることが可能となるため、遊技の興趣を高める上で有効である。
【０００９】
そして、このような対応に基づいてオブジェクトを操作する場合、ポインティングデバイスは、スライド入力操作の操作方向及び操作量が、その電子機器におけるオブジェクトの状態変化に要する程度の精度で検知可能であればよく、そのために、スライド入力操作の間の操作面に対する操作指の接触位置自体の情報は不要である。
【００１０】
勿論、このような電子機器に対して、従来のタッチセンサ型のポインティングデバイスを使用することは可能である。例えば、ポインティングデバイスがスライド入力操作の間の接触位置情報を上位システムに対して逐一出力するならば、上位システムは、それらの接触位置情報に基づいて、スライド入力操作の操作方向及び操作量を判別することができ、それによって、オブジェクトを制御することができる。
【００１１】
しかしながら、上述したように、従来のタッチセンサ型のポインティングデバイスは、接触位置を高精度に特定するための複雑な演算処理及び高度な演算能力を持つ演算装置を有しており、このような演算処理及び演算装置は、操作対象となるオブジェクトの制御のために位置情報（または、少なくとも高精度に特定された位置情報）を要しない電子機器に対しては冗長な仕様である。したがって、このような電子機器に対して従来のタッチセンサ型のポインティングデバイスを用いることは、コストパフォーマンスの点で不利なものとなるといった問題がある。
【００１２】
本発明は上記課題に鑑みてなされたものであり、その目的とするところは、安価かつ簡素な構成によって、スライド入力操作の操作情報を検出可能な電子機器用の入力装置及び入力方法を提供することにある。
【課題を解決するための手段】
【００１３】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、または、更に他の構成要素を付加したものについても、本願発明の技術的範囲に含まれ得るものである。
【００１４】
（１）電子機器用の入力装置であって、入力操作面および該入力操作面に対する入力操作を検知する静電容量方式のタッチセンサを備える操作部と、前記操作部からの入力操作の検知情報が入力され、前記検知情報に対応する出力情報を前記電子機器に対して出力する制御回路部とを備え、前記制御回路部は、前記検知情報に基づいて、前記入力操作面内の複数の座標に対する入力操作の有無を特定するとともに、前記複数の座標に対する入力操作の有無を示す入力状態の遷移に基づいて、スライド入力操作の操作方向及び操作量を判別し、前記操作方向及び前記操作量を含む操作情報を前記電子機器に対して出力することを特徴とする入力装置（請求項１）。
【００１５】
ここで、本明細書において「座標」とは、入力装置の入力操作面上において、入力操作の対象となる特定の位置（または範囲）を指定するために使用される任意の情報を言い、入力操作面に沿って設けられる任意の適切な２次元座標から実際に読み取られる値（または、値の範囲）に相当するデータの場合を含むが、それに限定されるものではない。例えば、入力装置の入力操作面上に、それぞれ入力操作の対象となる位置を定義する複数の個別の区画が設けられている場合（典型的には、各区画にそれぞれ対応する個別のスイッチが設置される場合）、各区画と１対１に対応し、各区画を特定することが可能な任意の情報を、その位置の「座標」というものとする。このような座標には、例えば、各区画に与えられる整数による通し番号、あるいは、各区画に与えられる整数の組み等が含まれる。
【００１６】
また、本明細書において、「入力操作」とは、操作者の指等（以下、操作指という）を、入力操作面に接触させることを含む動作を総称していい、このような入力操作のうち、「スライド入力操作」とは、操作指を入力操作面に接触させたまま滑らせる動作によって実行されるものをいう。
【００１７】
（２）（１）項に記載の入力装置において、前記制御回路部は、一次元状に配列された複数の座標からなる座標群の前記入力状態について、前記入力操作が検知された入力検知座標群の最も外側に位置する座標に関する所定の遷移の発生、または、隣接する２以上の座標に関する所定の遷移の完了に基づいて、前記入力検知座標群に対する前記スライド入力操作の前記操作方向を判別し、前記入力検知座標群の前記入力状態について、所定の遷移が完了した回数及び該所定の遷移の完了に要した時間のいずれか一方または両方に基づいて前記操作量を判別することを特徴とする入力装置（請求項２）。
【００１８】
（３）（２）項に記載の入力装置において、前記操作量を判別するための前記所定の遷移は、前記入力検知座標群中の個別の座標に関する前記入力状態の遷移により定義されるか、または、前記入力検知座標群中の全ての座標に関する前記入力状態の遷移を含むように定義されることを特徴とする入力装置（請求項３）。
【００１９】
（４）（２）または（３）項に記載の入力装置において、前記操作量は、所定時間内に前記所定の遷移が完了した回数に応じて増大することを特徴とする入力装置（請求項４）。
【００２０】
（５）（２）または（３）項に記載の入力装置において、前記操作量は、所定時間内に前記所定の遷移が完了した回数に応じて増大し、前記所定の遷移が完了しないまま前記所定時間が経過した回数に応じて減少することを特徴とする入力装置（請求項５）。
【００２１】
（６）（１）から（５）項に記載の入力装置において、前記制御回路部は、複数の座標に対する入力操作の有無を示す前記入力状態、前記スライド入力操作の前記操作方向及び前記操作量を判別するために予め定義された条件、及び判別された前記操作方向及び前記操作量を記憶する記憶部と、前記記憶部に記憶された条件に基づいて、前記スライド入力操作の前記操作方向及び前記操作量を判別し、前記操作方向及び前記操作量を前記記憶部に保存するとともに、前記操作方向及び前記操作量を含む前記操作情報を前記電子機器に対して出力するデータ処理部とを備えることを特徴とする入力装置（請求項６）。
【００２２】
（７）入力操作面および該入力操作面に対する入力操作を検知する静電容量方式のタッチセンサを備える操作部と、前記操作部からの入力操作の検知情報が入力され、前記検知情報に対応する操作情報を前記電子機器に対して出力する制御回路部とを備える電子機器用の入力装置のための入力方法であって、前記検知情報に基づいて、前記入力操作面内の複数の座標に対する入力操作の有無を特定するステップと、複数の座標に対する入力操作の有無を示す入力状態の遷移に基づいて、スライド入力操作の操作方向及び操作量を判別するステップと、前記操作方向及び前記操作量を含む操作情報を前記電子機器に対して出力するステップと、を含むことを特徴とする入力方法（請求項７）。
【発明の効果】
【００２３】
本発明はこのように構成したので、静電容量方式のタッチセンサを備えた、電子機器用の入力装置において、安価かつ簡素な構成によって、スライド入力操作の操作方向及び操作量を含む操作情報を検出することが可能となる。
さらに、本発明に係る入力装置によれば、電子機器が備える操作対象のオブジェクトを、操作者が高い操作実感を伴って操作可能な入力装置を低コストで実現することが可能となり、特に、スロットマシン等の遊技機器である電子機器用の入力装置として有利なものである。
【図面の簡単な説明】
【００２４】
【図１】本発明の一実施形態に係る入力装置の要部を示す機能ブロック図である。
【図２】本発明の一実施形態に係る入力装置において、入力操作面内におけるパッドスイッチ配列の一例を模式的に示す上面図である。
【図３】本発明の一実施形態に係る入力装置において、スライド入力操作の入力状態の遷移の一例を、２個のパッドスイッチを１次元状に配列した構成について示す表である。
【図４】図３に示す入力状態遷移について、スライド入力操作の操作量を示すカウンタ値の変動を詳細に示す図である。
【図５】本発明の一実施形態に係る入力装置の機能及びその入力装置のための入力方法の一例を、２個のパッドスイッチを１次元状に配列した構成について示すフローチャートである。
【図６】（ａ）は、本発明の一実施形態に係る入力装置において、スライド入力操作の入力状態の遷移の一例を、３個のパッドスイッチを１次元状に配列した構成について示す表であり、（ｂ）は、（ａ）に示す入力状態遷移に対応する操作指の態様の一例を示す図である。
【図７】図６に示す入力状態遷移について、スライド入力操作の操作量を示すカウンタ値の変動を詳細に示す図である。
【図８】本発明の一実施形態に係る入力装置の機能及びその入力装置のための入力方法の一例を、３個のパッドスイッチを１次元状に配列した場合について示すフローチャートである。
【図９】本発明の一実施形態に係る入力装置の機能及びその入力装置のための入力方法において、スライド入力操作の操作方向が一通りに決まらない入力状態遷移の一例を示す表である。
【図１０】本発明の一実施形態に係る入力装置の機能及びその入力装置のための入力方法の一例を示す図であり、（ａ）は、縦軸群に対するスライド入力操作の態様を模式的に示す側断面図、（ｂ）は、縦軸群に対する一方向のスライド入力操作の入力状態遷移の例を示す表、（ｃ）は、縦軸群に対する逆方向のスライド入力操作の入力状態遷移の例を示す表である。
【図１１】本発明の一実施形態に係る入力装置において、入力操作面内におけるパッドスイッチ配列の変形例を模式的に示す上面図である。
【発明を実施するための形態】
【００２５】
以下、本発明の実施の形態を添付図面に基づいて説明する。図１に示すように、本実施形態における入力装置１０は、電子機器６用の入力装置であって、入力操作面（図示は省略する）及び入力操作面に対する入力操作を検知する静電容量方式のタッチセンサ７を備える操作部１と、操作部１からの入力操作の検知情報が入力される制御回路部２とを備えている。
【００２６】
ここで、本実施形態における入力装置１０では、図２に操作指１２とともに模式的に示すように、入力操作面１４内に、それぞれパッドスイッチに対応する複数の区画（図２の例では、整数の組（ｘ，ｙ）で示される９個の区画）が設けられており、タッチセンサ７は、それぞれのパッドスイッチに対応する区画（以下、単にパッドスイッチという）（−２，０）〜（２，０）、（０，−２）〜（０，２）毎に設置されるものとする。例えば、各タッチセンサ７は、それぞれのパッドスイッチ（−２，０）〜（２，０）、（０，−２）〜（０，２）の直下に配置されるように、入力操作面１４の下部に配置される基板上に設けられるものであってもよい。
【００２７】
入力装置１０の操作者は、入力操作面１４上の各パッドスイッチ（−２，０）〜（２，０）、（０，−２）〜（０，２）に操作指１２を接触させることにより、入力操作を実行する。これに対応して、操作部１は、それぞれのパッドスイッチ（−２，０）〜（２，０）、（０，−２）〜（０，２）に対する入力操作によって、対応するタッチセンサ７に生じる静電容量の変化を検出し、入力操作の発生を示す検知情報を制御回路部２に出力する入力情報検出回路３を備えている。
【００２８】
したがって、入力装置１０の場合、入力操作面１４上の入力操作の対象となる位置は、具体的には、各パッドスイッチ（−２，０）〜（２，０）、（０，−２）〜（０，２）を意味するものであり、その座標を特定することは、（例えば、整数の組み（ｘ，ｙ）によって）各パッドスイッチを特定することに相当する。また、入力装置１０において、入力操作面上の特定の座標に対する入力操作の有無は、その座標に対応するパッドスイッチのオン／オフ状態によって特定される。
【００２９】
例えば、入力情報検出回路３には、各パッドスイッチ（−２，０）〜（２，０）、（０，−２）〜（０，２）に対応するタッチセンサ７からの検出値が入力され、入力された検出値は、入力情報検出回路３が備える閾値と比較されて、それぞれのパッドスイッチ（−２，０）〜（２，０）、（０，−２）〜（０，２）に対する入力操作の有無（すなわち、各パッドスイッチがオン状態であるか、または、オフ状態であるか）が判別される。
【００３０】
そして、制御回路部２は、入力操作の発生を検出するパッドスイッチ（例えば、（０，０））を指定するための情報を入力情報検出回路３に対して出力し、入力情報検出回路３は、この情報によって指定されたパッドスイッチ（例えば、（０，０））のオン／オフ状態を含む検知情報を制御回路部２に出力する。これによって、制御回路部２は、操作部１から入力される検知情報に基づいて、所望のパッドスイッチ（例えば、（０，０））のオン／オフ状態を特定することができる。そして、制御回路部２は、各パッドスイッチ（−２，０）〜（２，０）、（０，−２）〜（０，２）に対して同様の処理を実行することにより、全パッドスイッチ（−２，０）〜（２，０）、（０，−２）〜（０，２）のオン／オフ状態を特定するとともに、この動作を繰り返すことによって、その都度、全パッドスイッチ（−２，０）〜（２，０）、（０，−２）〜（０，２）のオン／オフ状態が特定された新たな入力状態を得るものである。
【００３１】
但し、本発明に係る入力装置は、操作部１から制御回路部２に入力される検知情報について、制御回路部２が、その検知情報に対応する入力操作が行われた入力操作面上の座標（例えば、その座標に対応するパッドスイッチ）を識別可能であり、それによって、後述するスライド入力操作の検知に関する複数の座標に対して、それらの座標に対する入力操作の有無（例えば、それらの複数の座標に対応する各パッドスイッチのオン／オフ状態）を示す入力状態を得ることが可能である限り、任意の適切な構成とすることができる。
【００３２】
また、一般に、入力装置１０において、入力情報検出回路３から制御回路部２に出力される検知情報に含まれるオン状態には、操作者の入力意図とは関わりなくオン状態となったものが含まれている可能性がある。これは、例えば、操作指または操作者の手の一部等が操作者の入力意図とは関わりなく入力操作面１４に接触し、その接触がタッチセンサ７によって検知されることにより発生する。
【００３３】
このため、制御回路部２は、例えばパッドスイッチ（−２，０）〜（２，０）、（０，−２）〜（０，２）の配置構成またはタッチセンサ７の検出値等の情報を使用して、入力情報検出回路３から出力される検知情報に含まれるオン状態について、操作者の意図に基づかない入力操作によるものと判断されるオン状態を偽、操作者の意図に基づく入力操作によるものと判断されるオン状態を真と判別するための真偽判別手段を備えるものであってもよい。入力装置１０において、制御回路部２がこのような真偽判別手段を備える場合には、入力情報検出回路３からの検知情報に含まれる各パッドスイッチ（−２，０）〜（２，０）、（０，−２）〜（０，２）のオン／オフ状態から、真偽判別手段により偽と判別されたオン状態を除外して確定された入力状態を、各パッドスイッチ（−２，０）〜（２，０）、（０，−２）〜（０，２）に対する入力操作の有無を示す入力状態というものとする。
【００３４】
さらに、入力装置１０において、入力情報検出回路３から制御回路部２に出力される検知情報には、各パッドスイッチ（−２，０）〜（２，０）、（０，−２）〜（０，２）のオン／オフ状態を示す情報だけでなく、対応するタッチセンサ７から入力情報検出回路３に入力される検出値自体に関する情報が含まれるものであってもよい。例えば、制御回路部２が、上述したような真偽判別手段を備える場合、入力情報検出回路３からの検知情報に対して上述したような真偽判別を実行する際に、この検出値を使用するものであってもよい。
【００３５】
ここで、図２に示す例では、入力操作面１４内に配列されるパッドスイッチ（−２，０）〜（２，０）、（０，−２）〜（０、２）は、スイッチ群〔（−２，０）〜（２，０）〕、及び、スイッチ群〔（０，−２）〜（０、２）〕の２つのスイッチ群から構成される（但し、パッドスイッチ（０，０）は、両スイッチ群に共通）。各スイッチ群は、一次元状に配列された複数のパッドスイッチからなり、図２に示す例では、操作指１２との関係で示すように、スイッチ群〔（−２，０）〜（２，０）〕は、操作者に対して横（左右）方向に配列され、スイッチ群〔（０，−２）〜（０，２）〕は、操作者に対して縦（奥行）方向に配列されている。
以下、スイッチ群〔（−２，０）〜（２，０）〕のように横方向に配列されるスイッチ群を横軸群ＳＷＨともいい、スイッチ群〔（０，−２）〜（０，２）〕のように縦方向に配列されるスイッチ群を縦軸群ＳＷＶともいう。
【００３６】
入力操作面１４のパッドスイッチ配列では、操作者が、横軸群ＳＷＨの正方向（図２において、座標（ｘ，０）のｘ値が増大する方向）または負方向（図２において、座標（ｘ，０）のｘ値が減少する方向）のスライド入力操作、または、縦軸群ＳＷＶの正方向（図２において、座標（０，ｙ）のｙ値が増大する方向）または負方向（図２において、座標（０，ｙ）のｙ値が減少する方向）のスライド入力操作を実行することが想定されている。
そして、入力装置１０は、操作者が、横軸群ＳＷＨ正方向、横軸群ＳＷＨ負方向、縦軸群ＳＷＶ正方向、縦軸群ＳＷＶ負方向のいずれかの方向のスライド入力操作を選択し、選択したスライド入力操作を繰り返し実行する際に、パッドスイッチ（−２，０）〜（２，０）、（０，−２）〜（０、２）の入力状態の遷移に基づいて、スライド入力操作の操作方向及び操作量を判別することに、その特徴を有するものである。
【００３７】
尚、本発明は、入力装置１０の入力操作面１４の物理的状態によって限定されるものではないが、操作者がスライド入力操作を容易に実行できるようにするため、入力操作面１４は、凹凸のない滑らかな面で構成されることが好ましい。但し、入力操作面１４は、平坦面である必要はなく、入力装置１０を備える電子機器６の仕様等に応じて円筒面または球面等の曲面で構成されていてもよい。
【００３８】
以下、入力装置１０の制御回路部２が含む記憶部５及びデータ処理部４の機能とともに、本実施形態における入力装置１０のための入力方法について説明する。
【００３９】
まず、図３〜図５を参照して、本実施形態における入力装置１０のための入力方法の第１の例を説明する。本例では、パッドスイッチの一次元状の配列からなるスイッチング群は、隣接して配列された２個のパッドスイッチＡ、Ｂから構成され、この配列に対する入力操作が検知される入力検知座標群は、スイッチング〔Ａ、Ｂ〕からなるものとする。
スイッチ群〔Ａ、Ｂ〕は、（例えば図２に示すパッドスイッチ（０，０）及び（１，０）を、それぞれパッドスイッチＡ、Ｂとして）、パッドスイッチＡ、Ｂのみからなる横軸群ＳＷＨを構成するものであっても、（例えば図２に示すパッドスイッチ（０，０）及び（０，１）をそれぞれパッドスイッチＡ、Ｂとして）、パッドスイッチＡ、Ｂのみからなる縦軸群ＳＷＶを構成するものであってもよい。
【００４０】
図３は、スイッチ群〔Ａ、Ｂ〕のスライド入力操作の間の入力状態の遷移の一例を示す表である。図３に示す入力状態において、「０」は、対応するパッドスイッチＡ、Ｂがオフ状態であることを示し、「１」は、対応するパッドスイッチＡ、Ｂがオン状態であることを示している。尚、本例では、本発明の原理を簡明に説明するため、スライド入力操作の間に、両方のパッドスイッチＡ、Ｂが同時にオン状態となる入力状態は発生しないことを前提とする。
【００４１】
入力装置１０において、制御回路部２は、入力情報検出回路３からの検知情報に基づいて、各パッドスイッチＡ、Ｂのオン／オフ状態を特定し、以下に詳述するように、これらのオン／オフ状態を示す入力状態の遷移が、予め定義された条件を満たすか否かに基づいて、スイッチ群〔Ａ、Ｂ〕に対するスライド入力操作の操作方向及び操作量を判別し、判別された操作方向及び操作量を含む操作情報を、電子機器６に対して出力するように構成される。
【００４２】
このため、制御回路部２は、図３に示すような各パッドスイッチＡ、Ｂのオン／オフ状態を示す入力状態、スイッチ群〔Ａ、Ｂ〕に対するスライド入力操作の操作方向及び操作量を判別するために予め定義された条件、及び、判別された操作方向及び操作量を記憶する記憶部５と、記憶部５に記憶された条件に基づいて、スイッチ群〔Ａ、Ｂ〕に対するスライド入力操作の操作方向及び操作量を判別し、判別された操作方向及び操作量を記憶部５に保存するとともに、操作方向及び操作量を含む操作情報を電子機器６に対して出力するデータ処理部４とを備えている。
【００４３】
本例において、スイッチ群〔Ａ、Ｂ〕に対するスライド入力操作の操作方向及び操作量を判別するために予め定義された条件は、次の通りである。
【００４４】
まず、スライド入力操作の操作方向は、全てのパッドスイッチＡ、Ｂがオフ状態（０）である離間（浮き）状態ＳＴ１から、スイッチ群〔Ａ、Ｂ〕の最も外側に位置するパッドスイッチの入力状態がオン状態（１）に変化する遷移の発生に基づいて判別される。
本例の場合、スイッチ群〔Ａ、Ｂ〕の最も外側に位置するパッドスイッチとは、パッドスイッチＡまたはパッドスイッチＢである。図３に示す例では、最初の離間（浮き）状態ＳＴ１から、パッドスイッチＡがオン状態となる開始状態ＳＴ２への遷移が発生しており、操作方向が確定されていない状態（以下、初期状態という）においてこの遷移が発生した場合、スライド入力操作の操作方向は、パッドスイッチＡからパッドスイッチＢへ向かう方向（以下、正方向という）と確定される。
尚、入力装置１０は、入力装置１０の起動時に、上述した初期状態に設定される。
【００４５】
また、図示は省略するが、同様に、初期状態において、離間（浮き）状態ＳＴ１から、パッドスイッチＢがオン状態となる開始状態（この入力状態は、図３に示す移動状態ＳＴ３と同一の状態である）への遷移が発生した場合、このスライド入力操作の操作方向は、パッドスイッチＢからパッドスイッチＡへ向かう方向（以下、負方向という）であると確定される。
【００４６】
次に、スライド入力操作の操作量は、基準となる所定の遷移が完了した回数と、その完了に要した時間に基づいて、次のようにして判別される。
本例では、操作量を判別するための基準となる所定の遷移は、スイッチ群〔Ａ、Ｂ〕中の全てのパッドスイッチのオン／オフ状態の変化を含むように定義された、スイッチ群〔Ａ、Ｂ〕全体に対するスライド入力操作の１ストローク分の遷移である。
具体的には、スイッチ群〔Ａ、Ｂ〕に対する正方向の１ストローク分の遷移は、離間（浮き）状態ＳＴ１から開始状態ＳＴ２への遷移（パッドスイッチＡのオフ状態（０）からオン状態（１）への遷移）と、それに続く、開始状態ＳＴ２から移動状態ＳＴ３への遷移（パッドスイッチＡのオン状態（１）からオフ状態（０）、及び、パッドスイッチＢのオフ状態（０）からオン状態（１）への遷移）から構成される。
【００４７】
また、スイッチ群〔Ａ、Ｂ〕に対する負方向の１ストローク分の遷移は、離間（浮き）状態ＳＴ１から開始状態（正方向の移動状態ＳＴ３と同一の入力状態）への遷移と、それに続く、この開始状態から移動状態（正方向の開始状態ＳＴ２と同一の入力状態）への遷移から構成される。以下の説明において、正方向のスライド入力操作についての説明される事項は、開始状態をＳＴ３、移動状態をＳＴ２と読み替えることによって、負方向についてもそのまま適用される。
【００４８】
そして、本例において、スライド入力操作の操作量は、操作方向が確定された状態において、確定された操作方向（本例の場合、正方向）のスライド入力操作の１ストローク分の遷移ＳＴ１〜ＳＴ２〜ＳＴ３が所定時間内に完了した回数に応じて増大し、確定された操作方向のスライド入力操作の１ストローク分の遷移ＳＴ１〜ＳＴ２〜ＳＴ３が完了しないまま所定時間が経過した回数に応じて減少するように特定される。
【００４９】
具体的には、制御回路部２の記憶部５は、確定された操作方向へのスライド入力操作の１ストローク分の遷移ＳＴ１〜ＳＴ２〜ＳＴ３が所定時間内に完了した場合に、カウント値を増大させ、また、所定時間内に、確定された操作方向へのスライド入力操作の１ストローク分の遷移ＳＴ１〜ＳＴ２〜ＳＴ３が完了しなかった場合に、カウント値を減少させるカウンタを備えており、このカウンタのカウント値が操作量となる。
【００５０】
図４に、このようなカウンタのカウント値の増減の態様の一例を示す。図４の上段には、時間の経過に対するカウント値の増減のグラフが示されている。図４において、カウンタには最大値ＣＭａｘと最小値ＣＭｉｎが設定されており、このカウント値は、入力装置１０の起動時に、最小値ＣＭｉｎ（例えば、０）に設定される。
そして、図４の上段に記載されたグラフにおいて、期間Ｕでは、それぞれの所定時間（・・・、ＴＮ−４〜ＴＮ−３、ＴＮ−３〜ＴＮ−２、・・・・、ＴＮ＋２〜ＴＮ＋３）の間に、正方向のスライド入力操作の１ストローク分の遷移ＳＴ１〜ＳＴ２〜ＳＴ３が完了しており、各所定時間の経過毎にカウント値が所定の増分（例えば、１）だけ増大する。
【００５１】
例えば、図４の下段には、期間Ｕ中の１つの所定時間ＴＮ〜ＴＮ＋１における入力状態遷移のタイミングチャートが示されている。所定時間ＴＮ〜ＴＮ＋１中に、入力状態は、離間（浮き）状態ＳＴ１から、開始状態ＳＴ２、次いで移動状態ＳＴ３を経て、離間（浮き）状態ＳＴ１に遷移しており、正方向のスライド入力操作の１ストローク分の遷移ＳＴ１〜ＳＴ２〜ＳＴ３が完了している。これによって、カウンタの値は、例えば所定時間の終了時点ＴＮ＋１において、この所定時間ＴＮ〜ＴＮ＋１の開始時の値ＣＮから、１だけ増加した値ＣＮ＋１に更新される。
【００５２】
図３には、入力装置１０の起動後、初回の１ストローク分の正方向の入力状態遷移ＳＴ１〜ＳＴ２〜ＳＴ３と、次の１ストローク分の正方向の入力状態遷移ＳＴ１〜ＳＴ２〜ＳＴ３とが、図４の所定時間ＴＮ〜ＴＮ＋１中の遷移と同様に、いずれも所定時間内に完了した場合のカウンタの値（蓄積値）が、各入力状態に対応して示されている。
【００５３】
尚、図４のタイミングチャートには、所定時間ＴＮ〜ＴＮ＋１中に、入力状態が、正方向のスライド入力操作の１回分のストロークの状態遷移ＳＴ１〜ＳＴ２〜ＳＴ３を経て、離間（浮き）状態ＳＴ１にまで達した場合が示されている。しかし、本例において、１回分のストロークの入力状態遷移ＳＴ１〜ＳＴ２〜ＳＴ３の完了は、所定時間の終了時点ＴＮ＋１において、入力状態が移動状態ＳＴ３であった場合を含むものであり、この場合にも、カウンタの値は、例えば所定時間の終了時点ＴＮ＋１において、この所定時間ＴＮ〜ＴＮ＋１の開始時の値ＣＮから、１だけ増加した値ＣＮ＋１に更新される。但し、この場合、次の所定時間ＴＮ＋１ａ〜ＴＮ＋２（図示は省略する）は、入力状態が、移動状態ＳＴ２から離間（浮き）状態ＳＴ１に遷移するのを待って（すなわち、調整時間ＴＮ＋１〜ＴＮ＋１ａを設けて）、離間（浮き）状態ＳＴ１へ遷移後、開始するものとする。
【００５４】
図４の上段に記載されたグラフにおいて、期間Ｌは、カウンタの値が設定された最大値ＣＭａｘに到達した後の所定期間ＴＮ＋３〜ＴＮ＋４内に、正方向のスライド入力操作の１回分のストロークＳＴ１〜ＳＴ２〜ＳＴ３が完了した場合を示しており、この場合、カウンタ値は、この所定期間ＴＮ＋３〜ＴＮ＋４の開始時の値ＣＭａｘのまま維持される。
【００５５】
そして、図４の上段に記載されたグラフにおいて、期間Ｄでは、それぞれの所定時間（ＴＮ＋４〜ＴＮ＋５、ＴＮ＋５〜ＴＮ＋６、・・・）内に、確定された操作方向のスライド入力操作の１ストローク分の遷移ＳＴ１〜ＳＴ２〜ＳＴ３が完了していないことにより、各所定時間の経過毎にカウント値が所定の減少分（例えば、１）だけ減少する。
そして、このようなカウント値の減少により、カウント値が最小値ＣＭｉｎに達した場合、確定された操作方向は無効化され、入力装置１０は初期状態に戻るものである。
【００５６】
ここで、所定時間内に、確定された操作方向へのスライド入力操作の１ストローク分の遷移ＳＴ１〜ＳＴ２〜ＳＴ３が完了していない場合には、所定時間内にスライド入力操作が開始されなかった（所定時間中、離間（浮き）状態ＳＴ１が持続していた）場合（ケース１）、確定された操作方向へのスライド入力操作が開始されたが、そのスライド入力操作が完了しなかった（所定時間の終了時点において、入力状態が開始状態ＳＴ１にある）場合（ケース２）、所定時間内に、確定された操作方向とは逆方向（この場合、負方向）のスライド入力操作が発生した場合（ケース３）の３つの場合が含まれる。
【００５７】
本例では、ケース１、２、３のいずれの場合についても、カウンタのカウント値は１だけ減少するものとしたが、本発明に係る入力装置において、所定時間内に、確定された操作方向のスライド入力操作の１ストローク分の遷移ＳＴ１〜ＳＴ２〜ＳＴ３が完了していない場合の処理は、この態様に限定されるものではない。
【００５８】
例えば、上記ケース１の場合には、カウント値を、現時点の値に維持するものであってもよい。また、上記ケース３の場合には、カウント値の減少分を（例えば、２以上に）増大させるものであってもよく、あるいは、その時点の確定された操作方向（正方向）を無効化し、逆方向（負方向）を新たな操作方向として確定するものであってもよい。このため、例えば、スライド入力操作が開始される度に、図４に示す時点ｔｎ、ｔｎ＋１等において、操作方向を再確定するものであってもよい。
さらに、このように逆方向を新たな操作方向として確定する際に、カウンタのカウント値は、最小値ＣＭｉｎにリセットするものであっても、あるいは、その時点のカウント値をそのまま維持するものであってもよい。
【００５９】
これらの処理は、例えば、入力装置１０が適用される電子機器６が有する操作対象のオブジェクトの状態変化の態様と、入力装置１０におけるスライド入力操作との直感的な対応等に基づいて、適切に設定されるものである。
【００６０】
尚、入力装置１０において、上記ケース２及びケース３の場合であって、所定時間の終了時点の入力状態が離間（浮き）状態ＳＴ１ではない場合、上述した期間Ｕにおける調整時間ＴＮ＋１〜ＴＮ＋１ａと同様の調整時間が設けられることが望ましい。
さらに、期間Ｕ及び期間Ｄにおけるこのような調整時間についても、その時間が一定の時間（例えば、上記所定時間）以上持続する場合には、カウント値を減少させるものであってもよい。
【００６１】
ここで、図５に示すフローチャートを参照して、本例における入力方法の典型的な手順を説明すれば、次の通りである。
尚、制御回路部２は、その記憶部５中に、上述したカウンタ及び操作方向を示すフラグとして割り当てられた領域を備えており、データ処理部４は、入力装置１０の起動後、図５に示す手順の開始前に、カウンタのカウント値を最小値ＣＭｉｎに設定し、操作方向フラグを全てクリアする等の設定を含む必要な初期設定をするものであってもよい。
【００６２】
また、図５に示す手順には明示されていないが、データ処理部４は、この手順が進行している間、入力情報検出回路３からの検知情報に基づいてスイッチ群〔Ａ、Ｂ〕の入力状態を特定し、その遷移状態の必要な状態数分の履歴を記憶部５に保存しているものとする。
【００６３】
以上の前提の下に、図５に示す手順を説明すれば、次の通りである。
まず、図５に示す手順は、入力装置１０の操作情報を電子機器６に対して所定のタイミングで出力するものであり、データ処理部４は、この手順の開始後、操作情報を出力するタイミングを待った後（ステップＳ１におけるＮｏからのループ）、操作情報を出力するタイミングが来ると（ステップＳ１のＹｅｓ）、例えば操作方向フラグを参照することにより、スライド入力操作の操作方向が確定しているか否かを判別する（スッテプＳ２）。
【００６４】
ステップＳ２において、スライド入力操作の操作方向が確定していないと判別された場合（Ｎｏ）、データ処理部４は、正方向または負方向のいずれかのスライド入力操作が開始されたか否かを判別する（ステップＳ３）。ここで、離間（浮き）状態ＳＴ１から正方向の開始状態ＳＴ２の遷移が発生していた場合（Ｙｅｓ）、データ処理部４は、例えばスイッチ群〔Ａ、Ｂ〕に対する正方向の操作方向フラグをセットすることにより、操作方向を確定し（ステップＳ４）、その後、制御手順は、ステップＳ１に戻る。同様に、離間（浮き）状態ＳＴ１から負方向の開始状態ＳＴ３の遷移が発生していた場合（Ｙｅｓ）、データ処理部４は、例えばスイッチ群〔Ａ、Ｂ〕に対する負方向の操作方向フラグをセットすることにより、操作方向を確定し（ステップＳ４）、その後、制御手順は、ステップＳ１に戻る。
【００６５】
また、ステップＳ３において、いずれの方向のスライド入力操作も開始されていないと判別された場合（Ｎｏ）には、制御手順は、そのままステップＳ１に戻る。尚、ステップＳ４において、データ処理部４は、操作方向の確定とともに、操作量を判別するための所定時間の計時を開始するものであってもよい。
【００６６】
ステップＳ２において、スライド入力操作の操作方向が確定していると判別された場合（Ｙｅｓ）、データ処理部４は、所定時間が経過したか否かを判別し（ステップＳ５）、経過していない場合（Ｎｏ）、制御手順は、ステップＳ１２に移行する。ステップＳ５において、所定時間が経過したと判別された場合（Ｙｅｓ）、データ処理部４は、例えば、記憶部５に保存されている操作方向フラグと入力状態の遷移履歴とを参照し、確定された方向の１ストローク分の入力状態遷移が完了しているか否かを判別する（ステップＳ６）。
【００６７】
ステップＳ６において、確定された方向の１ストローク分の入力状態遷移が完了していると判別された場合（Ｙｅｓ）、データ処理部４は、カウンタのカウント値（蓄積値）が最大値ＣＭａｘであるか否かを判別し（ステップＳ７）、カウント値が最大値ＣＭａｘであった場合（Ｙｅｓ）、制御手順は、ステップＳ１２に移行する。ステップＳ７において、カウント値が最大値ＣＭａｘではない場合（Ｎｏ）、カウント値を所定の増分だけ増大させ（ステップＳ８）、その後、制御手順はステップＳ１２に移行する。
【００６８】
また、ステップＳ６において、確定された方向の１ストローク分の入力状態遷移が完了していないと判別された場合（Ｎｏ）、データ処理部４は、カウンタのカウント値（蓄積値）が最小値ＣＭｉｎであるか否かを判別し（ステップＳ９）、カウント値が最小値ＣＭｉｎではない場合（Ｎｏ）、カウント値を所定の減少分だけ減少させ（ステップＳ１０）、その後制御手順はステップＳ１２に移行する。ステップＳ９において、カウント値が最小値ＣＭｉｎであった場合には、データ処理部４は、例えば、セットされていた操作方向フラグをクリアすることにより、確定された操作方向の情報を消去し（ステップＳ１１）、その後、制御手順は、ステップＳ１２に移行する。
【００６９】
そして、ステップＳ１２において、データ処理部４は、操作方向（この場合、スイッチ群〔Ａ、Ｂ〕の正方向または負方向の操作フラグの状態）及び操作量（この場合、カウンタのカウント値）を含む操作情報を電子機器６に対して出力し、その後、制御手順は、ステップＳ１に復帰する。
【００７０】
尚、ステップＳ８及びステップＳ１０において、カウント値の増大及び減少とともに、次の所定時間の計時を開始するものであってもよく、その際、必要に応じて上述した調整時間が設けられるものであってもよい。
【００７１】
以上のような入力方法に基づく制御手順を実行する入力装置１０において、制御回路部２は、中央演算処理装置、揮発性及び不揮発性の記憶装置、入出力回路等を備えた周知のマイクロコンピュータシステムとして構成されるものであってもよい。その際、制御回路部２がその構成要素として備える記憶部５及びデータ処理部４は、上述したその機能を果たす限り、任意のハードウェアまたはソフトウェア、またはその組み合わせにより実装することができる。
この場合、スライド入力操作の操作方向及び操作量を判別するための条件は、典型的には、データ処理部４で実行される判別手順を記述したプラグラムとして、記憶部５に記憶されるものである。また、上述したような所定時間の計時は、このようなマイクロコンピュータシステムが備える周知のタイマー等により実行されるものであってもよい。あるいは、タッチセンサ７の走査等の定期的に実行される任意の動作を基準として、その実行回数をカウントすることにより、所定時間を計時する計時手段を構成するものであってもよい。
【００７２】
このように、入力装置１０及びその入力方法の第１の例によれば、入力操作面１４上の操作指の接触位置を高精度に特定するための高度な演算処理または演算装置を使用することなく、安価かつ簡素な構成によって、スライド入力操作の操作方向及び操作量を検出することが可能となる。
【００７３】
入力装置１０は、それが適用される電子機器の態様によって限定されるものではないが、入力装置１０が特に有利に適用されるのは、操作者の入力操作によって操作される対象を制御するために（少なくとも、高精度に特定された）位置情報を要せず、かつ、対象の状態変化の態様が、入力装置１０で実行されるスライド入力操作の態様と直感的に良く対応するような操作対象を有する電子機器である。
典型的な例として、電子機器がスロットマシン等の遊技機器であって、固定位置で回転する可動要素（例えば、回転ドラム）、あるいは、その画面上の固定位置で回転するように表示されるオブジェクトを備えており、可動要素または画面上のオブジェクト（以下、オブジェクトと総称する）の状態変化が、回転方向及び回転速度で規定される場合が挙げられる。
【００７４】
この場合、例えば、入力装置１０の入力操作面１４に配列された縦軸群ＳＷＶをオブジェクトの横軸回りの回転の操作、横軸群ＳＷＨをオブジェクトの縦軸回りの回転の操作に割り当てるとともに、それぞれのスイッチング群に対するスライド入力操作の操作方向をオブジェクトのその軸回りの回転方向に対応させ、スライド入力操作の操作量をオブジェクトの回転速度に対応させれば、操作者が実行するスライド入力操作とオブジェクトの状態変化とが直感的に良く対応し、操作者に対してオブジェクトの操作実感をより強く感じさせることが可能となるため、遊技の興趣を高める上で有効である。
【００７５】
ここで、以上の説明では、パッドスイッチの一次元状の配列からなるスイッチング群を、隣接して配列された２個のパッドスイッチＡ、Ｂからなるものとし、入力検知座標群はスイッチ群〔Ａ、Ｂ〕から構成されるものとした。この構成は、入力装置１０におけるスイッチ群を、スライド入力操作の操作方向及び操作量を判別可能な最小の構成により構成する点で有利なものである。但し、上述したようなスライド入力操作の操作方向及び操作量の判別は、１ストローク分の入力状態の遷移中に複数のパッドスイッチのオン／オフ状態に対応する複数の移動状態が含まれる点を考慮することにより、容易に、任意の複数のパッドスイッチからなるスイッチ群に対しても適用可能である。
【００７６】
次に、図６〜図１０を参照して、本実施形態における入力装置１０のための入力方法の第２の例を説明する。尚、以下では、主として、スライド入力操作の操作方向及び操作量の判別に関する第１の例との相違点について説明し、制御回路部２の機能等の第１の例と共通する部分の説明は、適宜省略する。
【００７７】
本例では、パッドスイッチの一次元状の配列からなるスイッチング群は、隣接して配列された３個のパッドスイッチＡ、Ｂ、Ｃから構成され、この配列に対して入力操作が検知される入力検知座標群は、スイッチ群〔Ａ、Ｂ、Ｃ〕からなるものとする。
スイッチスイッチ群〔Ａ、Ｂ、Ｃ〕は、（例えば図２に示すパッドスイッチ（−１，０）、（０，０）、及び（１，０）を、それぞれパッドスイッチＡ、Ｂ、Ｃとして）、パッドスイッチＡ、Ｂ、Ｃのみからなる横軸群ＳＷＨを構成するものであっても、（例えば図２に示すパッドスイッチ（０，−１）、（０，０）、及び（０，１）をそれぞれパッドスイッチＡ、Ｂ、Ｃとして）、パッドスイッチＡ、Ｂ、Ｃのみからなる縦軸群ＳＷＶを構成するものであってもよい。
【００７８】
図６（ａ）は、スイッチ群〔Ａ、Ｂ、Ｃ〕のスライド入力操作の間の入力状態の遷移の一例を示す表である。図６（ａ）に示す入力状態において、「０」は、対応するパッドスイッチＡ、Ｂがオフ状態であることを示し、「１」は、対応するパッドスイッチＡ、Ｂがオン状態であることを示している。
尚、本例では、上述した第１の例よりも一般的な状況を想定して、スライド入力操作の間に、パッドスイッチＡ、Ｂ、Ｃのうちの２つが同時にオン状態となる入力状態が発生することを想定する。これは、典型的には、図６（ｂ）に示すように、操作者が２本の操作指１２を用いてスライド入力操作を実行する場合に相当する。例えば、２本の操作指１２が、図６（ｂ）に示す状態にある時、入力状態は、図６（ａ）に示す開始状態ＳＴ３である。
【００７９】
本例において、スイッチ群〔Ａ、Ｂ、Ｃ〕に対するスライド入力操作の操作方向及び操作量を判別するために予め定義された条件は、次の通りである。
【００８０】
まず、スライド入力操作の操作方向は、隣接する２以上のパッドスイッチの入力状態について同一の遷移が連続して完了したことに基づいて判別される。
ここで、本例において、パッドスイッチの入力状態の遷移の完了とは、そのパッドスイッチについてオフ状態（０）からオン状態（１）への変化（以下、オフ−オン遷移ともいう）、または、オン状態（１）からオフ状態（０）への変化（以下、オン−オフ遷移ともいう）が発生したことをいう。
【００８１】
図６に示す例では、最初の離間（浮き）状態ＳＴ１から準備状態ＳＴ２への遷移において、パッドスイッチＡがオフ−オン遷移し、それに続く準備状態ＳＴ２から開始状態ＳＴ３への遷移において、パッドスイッチＢがオフ−オン遷移しており、初期状態において、これらの遷移履歴が検出された場合、このスライド入力操作の操作方向は、パッドスイッチＡからパッドスイッチＣへ向かう方向（以下、正方向という）と確定される。
【００８２】
尚、図６に示す例では、パッドスイッチＡ、Ｂの入力状態遷移に基づいて、スライド入力操作の操作方向を判別しているが、隣接する２つのパッドスイッチの別の組である、パッドスイッチＢ、Ｃについて同様の入力状態の遷移が連続して完了した場合も、操作方向は、正方向と確定される。
また、入力操作方向の判別は、隣接する２以上のパッドスイッチについて、オン−オフ遷移に基づいて判別されるものであってもよい。例えば、図６に示す入力状態の遷移において、開始状態ＳＴ３から移動状態ＳＴ４への遷移（パッドスイッチＡの入力状態のオン−オフ遷移）と、それに続く移動状態ＳＴ４から移動状態ＳＴ５への遷移（パッドスイッチＢの入力状態のオン−オフ遷移）に基づいて、正方向と確定されるものであってもよい。
【００８３】
また、図示は省略するが、同様に、初期状態において、パッドスイッチＣ（または、Ｂ）の入力状態のオフ−オン遷移（または、オン−オフ遷移）と、それに続く、パッドスイッチＢ（または、Ａ）の入力状態のオフ−オン遷移（または、オン−オフ遷移）が発生した場合、このスライド入力操作の操作方向は、パッドスイッチＣからパッドスイッチＡへ向かう方向（以下、負方向という）と確定される。
【００８４】
あるいは、スライド入力操作の操作方向は、いずれの方向についても、隣接する３つのパッドスイッチＡ、Ｂ、Ｃの組について、同一の遷移が連続して完了したことに基づいて判別されるものであってもよい。
【００８５】
次に、本例では、操作量を判別するための基準となる所定の遷移は、スイッチ群〔Ａ、Ｂ、Ｃ〕中の個別のパッドスイッチの入力状態の遷移により定義される。
図６に示す例では、この入力状態の遷移は、オン−オフ遷移により定義されており、例えば、図６（ａ）に示す例では、開始状態ＳＴ３から移動状態ＳＴ４への遷移におけるパッドスイッチＡのオン−オフ遷移、移動状態ＳＴ４から移動状態ＳＴ５への遷移におけるパッドスイッチＢのオン−オフ遷移、及び、移動状態ＳＴ５から次の離間（浮き）状態ＳＴ１への遷移におけるパッドスイッチＣのオン−オフ遷移が、それぞれ所定の遷移が完了する。
【００８６】
尚、操作量を判別するための基準となる、スイッチ群〔Ａ、Ｂ、Ｃ〕中の個別のパッドスイッチの入力状態の遷移は、オフ−オン遷移により定義するものであってもよい。
【００８７】
そして、本例において、スライド入力操作の操作量は、操作方向が確定された状態において、個別のパッドスイッチのオン−オフ遷移が所定時間内に完了した回数に応じて増大するように特定される。
【００８８】
具体的には、制御回路部２の記憶部５は、個別のパッドスイッチのオン−オフ遷移が所定時間内に完了した場合に、カウント値を増大させ、また、個別のパッドスイッチのオン−オフ遷移が所定時間内に完了しなかった場合に、カウント値をそのまま維持するカウンタを備えており、このカウンタのカウント値が操作量となる。
【００８９】
図７に、このようなカウンタのカウント値の増減の態様の一例を示す。図７の上段には、図６（ａ）の入力状態遷移に対応するタイミングチャートが示されており、図７の下段には、上段のタイミングチャートに対応して、時間の経過に対するカウント値の増減のグラフが示されている。
【００９０】
図７において、１回目のスライド入力操作におけるパッドスイッチＡ及びパッドスイッチＢの連続するオフ−オン遷移によって操作方向が正方向と確定された後、開始状態ＳＴ３から移動状態ＳＴ４の遷移におけるパッドスイッチＡのオン−オフ遷移、移動状態ＳＴ４から移動状態ＳＴ５におけるパッドスイッチＢのオン−オフ遷移、移動状態ＳＴ５から次の離間（浮き）状態ＳＴ１への遷移におけるパッドスイッチＣのオン−オフ遷移は、いずれも所定時間（それぞれ、Ｔ１〜Ｔ２、Ｔ２〜Ｔ３、Ｔ３〜Ｔ４）内に完了しており、各所定時間の経過毎にカウント値が所定の増分（例えば、１）だけ増大する。
【００９１】
例えば、図７の下段に示すグラフにおいて、カウント値は、所定時間Ｔ１〜Ｔ２の終了時Ｔ２に、初期値であるＣＭｉｎ（例えば、０）からＣ１（例えば、１）に増大し、所定時間Ｔ２〜Ｔ３の終了時Ｔ３に、Ｃ１（例えば、１）からＣ２（例えば、２）に増大し、所定時間Ｔ３〜Ｔ４の終了時Ｔ４に、Ｃ２（例えば、２）からＣ３（例えば、３）に増大している。
【００９２】
次に、個別のパッドスイッチの入力状態遷移が所定時間内に完了しなかった場合について説明すれば、次の通りである。
まず、このような場合には、所定時間内にオン状態となるパッドスイッチが存在していない（すなわち、所定時間中、離間（浮き）状態ＳＴ１が持続していた）場合（ケース１ｂ）、及び、所定時間開始時にオン状態であるパッドスイッチは存在しているが、そのオン状態が所定時間終了時まで持続しており、所定時間内にオン−オフ遷移として完了しなかった場合（ケース２ｂ）が含まれる。
例えば、図７に示す例では、所定時間Ｔ４〜Ｔ５は、直前の所定時間Ｔ３〜Ｔ４内にパッドスイッチＣのオン−オフ遷移が終了した後、所定時間Ｔ４〜Ｔ５の間は、離間（受け）状態ＳＴ１が持続しており、ケース１に相当する。また、所定時間Ｔ５〜Ｔ６は、この間にパッドスイッチＡがオン状態となっているが、所定時間終了時Ｔ６に、パッドスイッチＡはまだオン状態にあり、ケース２に相当する。
【００９３】
本例では、ケース１ｂ及びケース２ｂのいずれの場合にも、カウント値をそのまま維持するものとしており、図７に示すように、所定時間Ｔ４〜Ｔ５の終了時Ｔ５、所定時間Ｔ５〜Ｔ６の終了時Ｔ６において、カウント値はＣ３（例えば、３）に維持されている。
以後、２回目及び３回目のスライドにおけるカウント値の増大は、１回目のスライドにおけるカウント値の増大と同様のものである。図６（ａ）には、入力装置１０の起動後、図７に示すカウント値の増大の態様が、各入力状態に対応して示されている。
【００９４】
但し、本例において、個別のパッドスイッチの入力状態遷移が所定時間内に完了しなかった場合の処理は、カウント値の維持に限定されるものではなく、ケース１ｂ及びケース２ｂのいずれか一方または両方の場合について、カウント値を所定の減少分（例えば、１）だけ減少させるものであってもよい。あるいは、カウント値の初期値ＣＭｉｎへのリセット及び確定された操作方向の無効化のいずれか一方または両方を実行するものであってもよい。
【００９５】
さらに、ケース１ｂの場合には、所定時間とは別に調整時間を設け、いずれかのパッドスイッチがオン状態となるのを待って、次の所定時間を開始するものであってもよい。この場合、図７に示す例において、時間Ｔ４〜Ｔ５は調整時間であり、パッドスイッチＡがオン状態となった後に、次の所定時間Ｔ５〜Ｔ６が開始されたものと解釈される。
勿論、このような調整時間についても、一定の時間以上持続した場合には、カウンタの値を減少させるものであってもよい。例えば、この場合の一定の時間は、スライド入力操作の間に操作指が隣接するパッドスイッチに移動する時間と、１回のスライド入力操作の終了後から、次のスライド入力操作の開始までの離間（浮き）状態ＳＴ１の持続時間との差異を考慮して、所定時間よりも長い時間に設定するものであってもよい。
【００９６】
さらに、図示は省略するが、本例において、１つのパッドスイッチ（例えば、Ｂ）のオン−オフ遷移に連続して、確定された方向とは逆方向（本例の場合、負方向）に隣接するパッドスイッチ（例えば、Ａ）がオン状態となった場合（ケース３ｂ）を、個別のパッドスイッチのオン−オフ遷移が所定時間内に完了しなかった場合に含めるものであってもよい。
【００９７】
この場合における処理についても、カウント値を維持するものであっても、カウント値を所定の減少分（例えば、１または２以上）だけ減少させるものであってもよい。あるいは、カウント値の初期値ＣＭｉｎへのリセット及び確定された操作方向の無効化のいずれか一方または両方を実行するものであってもよい。
さらに、確定された方向とは逆方向に隣接するパッドスイッチについて、所定時間内にオン−オフ遷移が完了した場合には、逆方向（本例の場合、負方向）を新たな操作方向として確定するものであってもよい。尚、この際、カウント値を初期値ＣＭｉｎにリセットするのであってもよく、あるいは、現在のカウント値が維持されるものであってもよい。
【００９８】
尚、本例において、ケース３ｂを考慮する場合、１回目のスライド入力操作により操作方向を確定した以後、個別のパッドスイッチのオン−オフ遷移について、その完了だけでなく、連続するオン−オフ遷移の方向性（確定された操作方向に対して同方向かまたは逆方向か）が、その都度検出されるものである。
この場合、カウンタのカウント値を増大させる条件を、１つのパッドスイッチ（例えば、Ｂ）のオン−オフ遷移が所定時間内に完了し、かつ、そのパッドスイッチのオフ状態において、確定された操作方向に隣接するパッドスイッチ（例えば、Ｃ）がオン状態であるか、または、スイッチ群が離間（浮き）状態ＳＴ１である場合、とするものであってもよい。
【００９９】
また、本例では、パッドスイッチの一次元状の配列からなるスイッチング群を、隣接して配列された３個のパッドスイッチＡ、Ｂ、Ｃからなるものとし、入力検知座標群をスイッチング〔Ａ、Ｂ、Ｃ〕としたが、本例における入力方法は、第１の例と同様に、任意の複数のパッドスイッチからなるスイッチ群に対しても適用可能である。
その際、図７には、繰り返して実行されるスライド入力操作において、各スライド入力操作が１ストローク分のスライド入力操作から構成される場合が示されているが、スライド入力操作の操作方向及び操作量についての上述した判別条件は、繰り返して実行されるスライド入力操作のうちの１つ以上が、パッドスイッチの一次元配列の両端以外に位置するパッドスイッチから始まるか、及び／または、パッドスイッチの一次元配列の両端以外に位置するパッドスイッチで終了する（離間（浮き）状態ＳＴ１に遷移する）場合にも、同様に適用可能なものである。
【０１００】
ここで、図８に示すフローチャートを参照して、本例における入力方法の典型的な手順を説明すれば、次の通りである。尚、図８に示す手順は、個別のパッドスイッチのオン−オフ遷移が所定時間内に完了しなかった場合に、カウント値を減少させる例を示すものであるが、後述するカウント値を減少させるステップを適宜省略することにより、任意の適切な条件に応じて、カウント値を維持する手順とすることは容易である。
【０１０１】
まず、図８に示す手順は、入力装置１０の操作情報を電子機器６に対して所定のタイミングで出力するものであり、データ処理部４は、この手順の開始後、操作情報を出力するタイミングを待った後（ステップＳ１１におけるＮｏからのループ）、操作情報を出力するタイミングが来ると（ステップＳ１１のＹｅｓ）、例えば操作方向フラグを参照することにより、スライド入力操作の操作方向が確定しているか否かを判別する（スッテプＳ１２）。
【０１０２】
ステップＳ１２において、スライド入力操作の操作方向が確定していないと判別された場合（Ｎｏ）、データ処理部４は、隣接する２つのパッドスイッチの入力状態について同一の遷移（この場合、オフ−オン遷移）が連続して完了したか否かを判別することによって、いずれかの方向のスライド入力操作が開始されたか否かを判別する（ステップＳ１３）。ステップＳ１３において、隣接する２つのパッドスイッチの入力状態についてオフ−オン遷移が連続して完了していた場合（Ｙｅｓ）、データ処理部４は、入力状態遷移の方向が１通りであるか否かを判別することによって、スライド入力操作の操作方向が一意的に決定可能か否かを判別する（ステップＳ１４）。
【０１０３】
ここで、入力状態遷移の方向が１通りでない場合の一例を、図９に示す。図９に示す例では、入力状態が、離間（浮き）状態ＳＴ１から準備状態ＳＴ２を経て開始状態ＳＴ３、更に移動状態ＳＴ４へと遷移する間に、パッドスイッチＡからパッドスイッチＢへと向かうオフ−オン遷移と、パッドスイッチＣからパッドスイッチＢへと向かうオフ−オン遷移の２通りのオフ−オン遷移履歴が同時に発生しているため、スライド入力操作の操作方向を一意的に決定することができない。ステップＳ１４は、このような例外的な状況を除外するための手順である。
【０１０４】
ステップＳ１４において、スライド入力操作の操作方向が一意的に決定可能であると判別された場合（Ｙｅｓ）、データ処理部４は、入力状態の遷移履歴に応じて、例えばスイッチ群〔Ａ、Ｂ、Ｃ〕に対する正方向または負方向の操作方向フラグをセットすることにより、操作方向を確定し（ステップＳ１５）、その後、制御手順は、ステップＳ１１に戻る。
【０１０５】
また、ステップＳ１３において、いずれの方向のスライド入力操作も開始されていないと判別された場合（Ｎｏ）、及び、ステップＳ１４において、スライド入力操作の方向が位置的に決定できないと判別された場合（Ｎｏ）には、制御手順は、そのままステップＳ１１に戻る。尚、ステップＳ１５において、データ処理部４は、操作方向の確定とともに、操作量を判別するための所定時間の計時を開始するものであってもよい。
【０１０６】
ステップＳ１２において、スライド入力操作の操作方向が確定していると判別された場合（Ｙｅｓ）、データ処理部４は、所定時間が経過したか否かを判別し（ステップＳ１６）、経過していない場合（Ｎｏ）、制御手順は、ステップＳ２３に移行する。ステップＳ１６において、所定時間が経過したと判別された場合（Ｙｅｓ）、データ処理部４は、例えば、記憶部５に保存されている入力状態の遷移履歴（または、入力状態の遷移履歴並びに操作方向フラグの状態と遷移履歴から判別される入力状態遷移の方向性）に基づいて、（カウント値を増大させるべき）パッドスイッチの入力状態の遷移（本例の場合、オン−オフ遷移）が完了したか否かを判別する（ステップＳ１７）。
【０１０７】
ステップＳ１７において、上記のパッドスイッチのオン−オフ遷移が完了していると判別された場合（Ｙｅｓ）、データ処理部４は、カウンタのカウント値（蓄積値）が最大値ＣＭａｘであるか否かを判別し（ステップＳ１８）、カウント値が最大値ＣＭａｘであった場合（Ｙｅｓ）、制御手順は、ステップＳ２３に移行する。ステップＳ１８において、カウント値が最大値ＣＭａｘではない場合（Ｎｏ）、カウント値を所定の増分だけ増大させ（ステップＳ１９）、その後、制御手順はステップＳ２３に移行する。
【０１０８】
また、ステップＳ１７において、上記のパッドスイッチのオン−オフ遷移が完了してないと判別された場合（Ｎｏ）、データ処理部４は、カウンタのカウント値（蓄積値）が最小値ＣＭｉｎであるか否かを判別し（ステップＳ２０）、カウント値が最小値ＣＭｉｎではない場合（Ｎｏ）、カウント値を所定の減少分だけ減少させ（ステップＳ２１）、その後制御手順はステップＳ２３に移行する。ステップＳ２０において、カウント値が最小値ＣＭｉｎであった場合には、データ処理部４は、例えば、セットされていた操作方向フラグをクリアすることにより、確定された操作方向の情報を消去し（ステップＳ２２）、その後、制御手順は、ステップＳ２３に移行する。
【０１０９】
そして、ステップＳ２３において、データ処理部４は、操作方向（この場合、スイッチ群〔Ａ、Ｂ、Ｃ〕の正方向または負方向の操作フラグの状態）及び操作量（この場合、カウンタのカウント値）を含む操作情報を電子機器６に対して出力し、その後、制御手順は、ステップＳ１１に復帰する。
【０１１０】
尚、ステップＳ１９及びステップＳ２１において、カウント値の増大及び減少とともに、次の所定時間の計時を開始するものであってもよく、その際、必要に応じて上述した調整時間が設けられるものであってもよい。
【０１１１】
ここで、以上の説明では、本例における入力方法において、スライド入力操作の操作方向は、オフ−オン遷移に基づいて判別され、操作量は、オン−オフ遷移に基づいて判別されるものとした。この方法は、スライド入力操作方向を確定させる際の入力状態遷移についても、その完了回数をもれなくカウント可能である点で、有利なものである。但し、本例における入力方法において、操作方向及び操作量を判別するための入力状態遷移として、オン−オフ遷移及びオフ−オン遷移のいずれを用いるかは、入力装置１０の使用状況等に応じて適切に決定されるものである。
【０１１２】
例えば、操作方向及び操作量を判別するために、オン−オフ遷移またはオフ−オン遷移のいずれか一方を選択的に用いることが望ましい場合の一例を、図１０を参照して説明すれば、次の通りである。
図１０（ａ）には、一次元状に配列されたパッドスイッチから構成させるスイッチ群〔Ａ０、Ａ１、Ａ２、Ａ３〕が、縦軸群ＳＷＶである場合の状況が操作指１２とともに示されている。このような場合、入力装置１０では、操作者の意図した入力対象のパッドスイッチが、例えばパッドスイッチＡ１であったとしても、そのパッドスイッチＡ１から操作者に対して手前側にあるパッドスイッチ（例えば、Ａ２、Ａ３）に対して、操作指１２が近接することによって、パッドスイッチＡ２、Ａ３についても、オン状態が検出される場合がある。
【０１１３】
図１０（ｂ）及び図１０（ｃ）は、このような偽入力が発生する状況において、それぞれＡ０からＡ３に向かう方向（以下、負方向という）のスライド入力操作、及び、Ａ３からＡ０に向かう方向（以下、正方向という）のスライド入力操作について、入力状態遷移を示した表である。尚、説明の便宜のために、図１０（ｂ）及び図１０（ｃ）には、スライド入力操作の間に、操作指１２が実際に接触しているパッドスイッチから手前側のパッドスイッチは、全て偽入力によるオン状態となっている極端の場合が示されている。
【０１１４】
この場合、例えば図１０（ｂ）の場合には、実際に負方向のスライド入力操作が発生しているにも関わらず、隣接する２つのパッドスイッチについての連続するオフ−オン遷移は発生しない。しかしながら、準備状態ＳＴ２から次の離間状態ＳＴ１への遷移について、オン−オフ遷移が発生しており、これを利用することによって、このスライド入力操作を検出することができる。同様に、図１０（ｃ）の場合には、実際に正方向のスライド入力操作が発生しているにも関わらず、隣接する２つのパッドスイッチについての連続するオン−オフ遷移は発生しない。しかしながら、準備状態ＳＴ２から次の離間状態ＳＴ１への遷移について、オフ−オン遷移が発生しており、これを利用することによって、このスライド入力操作を検出することができる。
【０１１５】
したがって、縦軸群ＳＷＶに対して本例における入力方法を適用する場合には、例えば、まず、オフ−オン遷移及びオン−オフ遷移の両方を監視し、オフ−オン遷移により操作方向を正方向と確定できた場合には、以後の操作量の判別にもオフ−オン遷移を使用し（図１０（ｃ）参照）、オフ−オン遷移により操作方向を確定できない場合には、オン−オフ遷移により操作方向を確定できるか否かを判別し、オン−オフ遷移により操作方向を正方向と確定できた場合には、以後の操作量の判別にもオン−オフ遷移を使用するものであってもよい。
【０１１６】
このような入力装置１０及びその入力方法の第２の例によれば、上述した第１の例と同様の作用効果を奏することに加えて、第１の例と比較して、隣接するパッドスイッチ毎の操作指の移動分に相当する高い分解能をもって、スライド入力操作の操作量を検出することが可能となる。
【０１１７】
以上、本発明を好ましい実施形態に基づいて説明してきたが、本発明は上述した構成に限定されるものではない。
例えば、入力装置１０における入力操作面１４上のパッドスイッチの配列は、一次元状に配列された２以上のパッドスイッチを含む限り、任意の適切な配列とすることができる。一例として、図１１に示すように、複数のパッドスイッチをマトリクス状に配列するものであってもよい。この場合、入力装置１０は、例えば、複数の横軸群ＳＷＨ１〜ＳＷＨ５及び複数の縦軸群ＳＷＶ１〜ＳＷＶ５、並びに、斜行軸群ＳＷＯ１、ＳＷＯ２等に対するスライド入力操作を検出するように構成されるものであってもよい。
【０１１８】
また、上述した実施形態では、スライド入力操作の操作量は、所定の遷移が完了した回数と、所定の遷移の完了に要した時間の両方を用いて判別されるものとした。このような操作量は、所定の間隔を空けることなく、かつ、所定の速度以上で繰り返し実行された同一方向へのスライド入力操作の間の、操作指の（１ストローク分、または、隣接するスイッチパッドへの移動分を単位とする）移動距離の積算値に相当するものである。
但し、本発明に係る入力装置において、スライド入力操作の操作量は、所定の遷移が完了した回数、または、所定の遷移の完了に要した時間のいずれか一方のみを用いて判別されるものであってもよい。
【０１１９】
例えば、本発明に係る入力装置において、スライド入力操作の操作量を、所定の遷移が（要した時間にかかわらず）完了した回数によって特定されるものとした場合、この操作量は、繰り返し実行された同一方向へのスライド入力操作の間の、操作指の（１ストローク分、または、隣接するスイッチパッドへの移動分を単位とする）移動距離の単純な積算値に相当する。
但し、この場合、入力装置は、この回数に対応する操作量を含む出力情報を、所定のタイミング（または、電子機器が要求するタイミング）で出力することが好ましい。これによって、スライド入力操作の操作量について、所定時間内に所定の遷移が完了した回数といった、上述した実施形態と同様の情報を、電子機器側で判別することが可能となる。
【０１２０】
また、本発明に係る入力装置において、スライド入力操作の操作量は、遷移の完了に要した時間のみよって特定されるものであってもよく、例えば、所定の遷移の完了毎にその遷移の完了に要した時間を保存し、保存された時間に対応する操作量を含む出力情報を、電子機器に対して出力するものであってもよい。これは、スライド入力操作の操作量を、スライドの速度によって特定することに相当する。
勿論、スライド入力操作の操作量として、これらの２つを組み合わせて用いるものであってもよく、あるいは、これらの２つの一方または両方と、上述した実施形態における操作量とを組みあせて用いるものであってもよい。
【０１２１】
さらに、本発明に係る入力装置は、複数のパッドスイッチで構成するのではなく、入力操作面上における入力操作の位置を連続的に検知する静電容量方式のタッチセンサを備え、入力操作の対象となる特定の位置（または範囲）を、入力操作面に沿って設けられる任意の適切な２次元座標から実際に読み取られる値（または、値の範囲）に相当するデータによって、定義するものであってもよい。
【０１２２】
また、本実施形態では、入力情報検出回路３は、操作部１が備えるものとして説明したが、本発明に係る入力装置は、必ずしも、入力情報検出回路３を操作部１に備える必要はなく、操作部１の外部に構成されていてもよい。
【０１２３】
さらに、本発明に係る入力装置は、上述したように、スライド入力操作の検出技術にその特徴を有するものであるが、本発明に係る入力装置において、スライド入力操作の操作情報に加えて、個別の座標（パッドスイッチ）毎のオン／オフ情報（例えば、所謂タップ、ダブルタップ等）を出力するように構成可能なことは、当業者にとって明らかである。
【符号の説明】
【０１２４】
１：操作部、２：制御回路部、３：入力情報検出回路、４：データ処理部、５：記憶部、６：電子機器、７：タッチセンサ、１０：入力装置、１４：入力操作面
【図１】
2012185538.tif 000003
【図２】
2012185538.tif 000004
【図３】
2012185538.tif 000005
【図４】
2012185538.tif 000006
【図５】
2012185538.tif 000007
【図６】
2012185538.tif 000008
【図７】
2012185538.tif 000009
【図８】
2012185538.tif 000010
【図９】
2012185538.tif 000011
【図１０】
2012185538.tif 000012
【図１１】
2012185538.tif 000013